(57)【特許請求の範囲】
【請求項１】
両側に端子収納部位と，該両側の端子収納部位間に本体収納部位を有するケースと，
両側の端子間に位置する接点装置と，接点装置を開閉する機構部と，過大電流で前記開閉機構部に作用して接点装置を開極させる少なくともひとつの過電流引き外し装置とを含む多極回路遮断器において，
前記の少なくともひとつの過電流引き外し装置をケースの片側の端子収納部位に配し，接点装置と開閉機構部を本体収納部位に配したことを特徴とする回路遮断器。
【請求項２】
両側に端子収納部位と，該両側の端子収納部位間に本体収納部位を有するケースと，
両側の端子間に位置する接点装置と，接点装置を開閉する機構部と，過大電流で前記開閉機構部に作用して接点装置を開極させる少なくともひとつの過電流引き外し装置と，不平衡電流を検出し前記開閉機構に作用して接点装置を開極させる漏電引き外し装置を含む多極回路遮断器において，
前記の少なくともひとつの過電流引き外し装置をケースの片側の端子収納部位に配し，接点装置と開閉機構部と不平衡電流を検出して前記開閉機構に作用して接点装置を開極させる漏電引き外し装置を本体収納部位に配したことを特徴とする回路遮断器。
【請求項３】
両側に端子収納部位と，該両側の端子収納部位間に本体収納部位を有するケースと，
両側の端子間に位置する接点装置と，接点装置を開閉する機構部と，過大電流で前記開閉機構部に作用して接点装置を開極させる少なくともひとつの過電流引き外し装置とを含む２極回路遮断器において，
片側の端子収納部位には，取り付け底面に対し垂直な方向に高さをずらせて両極の端子が配されており，前記少なくともひとつの過電流引き外し装置は，該片側の端子収納部位内において両極の端子とケースの側壁間に配したことを特徴とする回路遮断器。
【請求項４】
両側に端子収納部位と，該両側の端子収納部位間に本体収納部位を有するケースと，
両側の端子間に位置する接点装置と，接点装置を開閉する機構部と，過大電流で前記開閉機構部に作用して接点装置を開極させる少なくともひとつの過電流引き外し装置と，不平衡電流を検出して前記開閉機構に作用して接点装置を開極させる漏電引き外し装置を含む２極回路遮断器において，
片側の端子収納部位には，取り付け底面に対し垂直な方向に高さをずらせて両極の端子が配されており，前記少なくともひとつの過電流引き外し装置は，該片側の端子収納部位内において両極の端子とケースの側壁間に配したことを特徴とする回路遮断器。
【発明の詳細な説明】
【０００１】
【発明の属する技術分野】
本件の発明は薄型化を図った多極回路遮断器に係り、外形サイズが同一で漏電保護機能の追加等多機能化が可能な多極回路遮断器に関する。
【０００２】
【従来の技術】
従来の多極回路遮断器においては，該回路遮断器が配線用遮断器の場合，両側に位置する電源側及び負荷側の端子収納部位と，該端子収納部位間に設けられ，接点装置，接点を開閉する開閉機構部，過大電流で前記開閉機構部に作用して接点装置を開極させる過電流引き外し装置を内包する本体収納部位を配して構成されていた。また，漏電遮断器の場合には，両側に位置する電源側及び負荷側の端子収納部位と，該端子収納部位間に設けられ，接点装置，接点を開閉する開閉機構部，過大電流で前記開閉機構部に作用して接点装置を開極させる過電流引き外し装置，不平衡電流を検出して前記開閉機構に作用して接点装置を開極させる漏電引き外し装置を内包する本体収納部位を配して構成されていた。
【０００３】
【発明が解決しようとする課題】
しかしながら，回路遮断器としての機能を維持しつつ従来の多極回路遮断器の厚み方向の幅を薄型化し，なおかつ本体収納部位内部に多機能化を行う場合，例えば漏電遮断などの機能を追加して内蔵させる場合においては，追加する部品のスペースを遮断器内に設けることができず困難であった。
【０００４】
そこで本件の発明の目的とするところは、多極回路遮断器において，回路遮断器としての機能を維持しつつ厚み方向の幅を薄型化し，配線保護用の回路遮断器と漏電保護用の回路遮断器において外形サイズの同一性を損なうことなく，漏電遮断機能の追加など多機能化するための内部スペースを確保することができる多極回路遮断器を提供することを目的としている。
【０００５】
【課題を解決するための手段】
上述の目的を達成するため、請求項１は，両側に端子収納部位と，該両側の端子収納部位間に本体収納部位を有するケースと，
両側の端子間に位置する接点装置と，接点装置を開閉する機構部と，過大電流で前記開閉機構部に作用して接点装置を開極させる少なくともひとつの過電流引き外し装置とを含む多極回路遮断器において，
前記の少なくともひとつの過電流引き外し装置をケースの片側の端子収納部位に配し，接点装置と開閉機構部を本体収納部位に配していることを特徴とする多極回路遮断器を提供したものである。
【０００６】
また請求項２では，両側に端子収納部位と，該両側の端子収納部位間に本体収納部位を有するケースと，
両側の端子間に位置する接点装置と，接点装置を開閉する機構部と，過大電流で前記開閉機構部に作用して接点装置を開極させる少なくともひとつの過電流引き外し装置と，不平衡電流を検出して前記開閉機構に作用して接点装置を開極させる漏電引き外し装置を含む多極回路遮断器において，前記の少なくともひとつの過電流引き外し装置をケースの片側の端子収納部位に配し，接点装置と開閉機構部と不平衡電流を検出して前記開閉機構に作用して接点装置を開極させる漏電引き外し装置を本体収納部位に配した多極回路遮断器を提供したものである。
【０００７】
また請求項３では，両側に端子収納部位と，該両側の端子収納部位間に本体収納部位を有するケースと，
両側の端子間に位置する接点装置と，接点装置を開閉する機構部と，過大電流で前記開閉機構部に作用して接点装置を開極させる少なくともひとつの過電流引き外し装置とを含む２極回路遮断器において，
片側の端子収納部位には，取り付け底面に対し垂直な方向に高さをずらせて両極の端子が配されており，前記少なくともひとつの過電流引き外し装置は，該片側の端子収納部位内において両極の端子とケースの側壁間に配した２極回路遮断器を提供したものである。
【０００８】
また請求項４では，両側に端子収納部位と，該両側の端子収納部位間に本体収納部位を有するケースと，
両側の端子間に位置する接点装置と，接点装置を開閉する機構部と，過大電流で前記開閉機構部に作用して接点装置を開極させる少なくともひとつの過電流引き外し装置と，不平衡電流を検出して前記開閉機構に作用して接点装置を開極させる漏電引き外し装置を含む２極回路遮断器において，片側の端子収納部位には，取り付け底面に対し垂直な方向に高さをずらせて両極の端子が配されており，前記少なくともひとつの過電流引き外し装置は，該片側の端子収納部位内において両極の端子とケースの側壁間に配した２極回路遮断器を提供したものである。
【０００９】
【発明の実施の形態】
以下，本発明の実施の形態について，図面を用いて詳細に説明する。
【００１０】
第一の実施例として，回路遮断器が２極の配線用遮断器である場合を示す。図１は本件発明の配線用遮断器がＯＦＦの時の内部構造を示している。該回路遮断器には２つの過電流引き外し装置を設けてある。
【００１１】
図２に示すように，遮断器の外部はケース１ａとケース１ｂ及び、絶縁壁３から構成されている。図１において，２は操作ハンドル，５は回動部材，６，７は可動接触子，８は開閉機構部，９，１０は固定接触子，１２，１３は可動接点，１４，１５は固定接点，２３ａ，２３ｂは過電流引き外し装置，２４ａ，ｂは負荷側端子，２５ａ，２５ｂは電源側端子，２８は固定電磁片，２９は可動電磁片，３０は母線を示している。
【００１２】
１００，１０１は接点装置である。接点装置１００，１０１は可動接点１２と固定接点１４，および可動接点１３と固定接点１５がそれぞれ組をなして構成されている。また，ケース１には固定接触子９，１０が配設されており，各々の端部には固定接点１４，１５が設けられている。
【００１３】
機構部８は接点装置１００，１０１を開閉するものである。機構部はリンク２６と操作ハンドル２および回動部材５から構成されており，操作ハンドル２の操作により前記可動接点１２，１３が固定接点１４，１５に対し開閉するよう作用する。
【００１４】
回動部材５にはそれぞれ可動接触子６，７が装着保持されている。
【００１５】
過電流引き外し装置２３ａは導体３００により一端が可動接触子７と接続され，電路の一部を形成している。過電流引き外し装置２３ａは引き外し素子であるバイメタル３０１や電磁素子３０２で構成されている。過電流が発生した場合には開閉機構部８に作用して前記可動接点１２，１３を固定接点１４，１５から開極させるように働く。過電流引き外し装置２３ｂは導体３０３により一端が固定接触子９と接続され，電路の一部を形成している。過電流引き外し装置２３ｂも２３ａと同様にバイメタル３０４や電磁素子３０５で構成されている。
【００１６】
本体部は，これら操作ハンドル２と，開閉機構部８と，接点装置１００，１０１と，一方の引き外し装置２３ａを内装して構成されている。
【００１７】
電源側端子２５ａ，２５ｂは母線（図示しない導体）と接続されるものであり，プラグイン端子が用いられている。電源側端子部には，これら電源側端子２５ａ，２５ｂと過電流引き外し装置２３ｂが配設されている。過電流引き外し装置２３ｂは導体により一端が固定接触子９と接続されており，電路の一部を形成している。引き外し装置２３ｂは引き外し素子であるバイメタル３０４や電磁素子３０５で構成されており，先の引き外し装置２３ａと同様に，異常電流が発生した場合には開閉機構部８に作用して前記可動接点１２，１３を固定接点１４，１５から開極させるように働く。
【００１８】
負荷側端子２４ａ，ｂは負荷側の電線を接続する端子であり，速結端子を用いて構成されている。なお，負荷側端子収納部は負荷側端子２４ａ，ｂを内装する。
【００１９】
このように２極回路遮断器を電源側端子部と負荷側端子部を結ぶ方向において，電源側端子収納部，本体収納部，負荷側端子収納部と，大きく３つに分けた場合に，電源側端子収納部に電源側端子２５ａ，２５ｂおよび，過電流引き外し装置２３ｂの両方を配設して配線用回路遮断器を構成している。
【００２０】
図３は，片側の端子収納部位である電源側端子部から負荷側端子部の方向を見た場合の概略構造図である。電源側端子２５ａ，２５ｂは，回路遮断器の取り付け底面に対して，垂直な方向，即ち取り付け底面からハンドル面の方向に，高さをずらせて両極の電源端子部を配しており，一方の極の電源側端子部２５ａは回路遮断器取り付け底面側に位置しており，一側壁３１０側に位置している。
【００２１】
また，他方の極の電源側端子部２５ｂは先の電源側端子部２５ａに対してハンドル面側に位置しており，先の２５ａとは反対側の側壁３１１側に位置している。つまり，一対の電源側端子は電源側端子部の両側壁の中心からそれぞれ反対側の側壁に偏寄して配されている。
【００２２】
過電流引き外し装置２３ｂの引き外し素子はこれら電源側端子２５ａ，２５ｂと当接しないように，それぞれの端子が偏寄した側と反対側の側壁と各電源端子の間を縫うように屈曲した打ち抜き形状で構成され配置されている。
【００２３】
また，電源側端子２５ａ，２５ｂを，回路遮断器の取り付け底面に対して垂直な方向，即ちハンドル面の方向に高さをずらせて，なおかつ両極の電源端子部を同一の側壁側に近づけて配設し，二つの電源側端子と残りの側壁間に過電流引き外し装置の引き外し素子を配する位置関係としてもよい。
【００２４】
また，過電流引き外し装置２３ｂには固定電磁片２８，可動電磁片２９から成る電磁素子を含んで構成してもよい。この場合，過電流引き外し装置２３ｂは電源側端子と接続され電路の一部を形成し，過電流引き外し素子に電流が流れることにより，電路に発生する磁場の磁路となるよう略包囲状に形成された固定電磁片２８と，過電流が発生した際には固定電磁片２８に吸着し開閉機構部８に作用するよう弾性部材により一方向に付勢され回動自在に保持された可動電磁片２９とを備える。固定電磁片２８と可動電磁片２９とは，電源側端子２５ａ，２５ｂと当接せぬように，電源側端子部の略中央部に配設される。以上の構成により，過電流引き外し装置を電源側端子収納部に配設することを可能としている。過電流引き外し装置２３ａ，２３ｂの両方を本体部に配設する場合と比較して，端子収納部に配設した過電流引き外し装置の占めるスペース分，本体部に空きスペースが生じ，そのスペースに追加機能や補助機能を追加することが可能となる。
【００２５】
次に本件発明の回路遮断器が２極の漏電遮断器である場合を示す。図４は本件発明の漏電遮断器がＯＦＦ状態の内部構造を示している。該回路遮断器には２つの過電流引き外し装置を設けてある。
【００２６】
図４に示すように，遮断器の外部はケース２０１０ａとケース２０１０ｂ（図示しない）及び、絶縁壁２０３から構成されている。図４において，２０２は操作ハンドル，２０５は回動部材，２０６，２０７は可動接触子，２０８は開閉機構部，２０９，２１０は固定接触子，２１２，２１３は可動接点，２１４，２１５は固定接点，２２３ａ，２２３ｂは過電流引き外し装置，２２４ａ，２２４ｂは負荷側端子，２２５ａ，２２５ｂは電源側端子，２２８は固定電磁片，２２９は可動電磁片，２３１は引き外しコイル（以後トリップコイルという），２３２は零相変流器（以後ＣＴという）を示している。
本実施例で示す漏電遮断器は，先に示した第一の実施例における２極回路遮断器の内部に発生した空きスペースに新たにトリップコイル２３１，ＣＴ２３２，漏電検知器（図示しない）からなる漏電引き外し装置を配設して２極漏電回路遮断器を構成したものである。
【００２７】
２００，２０１は接点装置である。接点装置２００，２０１は可動接点２１２と固定接点２１４，および可動接点２１３と固定接点２１５がそれぞれ組をなして構成されている。また，ケース２０１には固定接触子２０９，２１０が配設されており，各々の端部には固定接点２１４，２１５が設けられている。
【００２８】
機構部２０８は接点装置２００，２０１を開閉するものである。機構部はリンク２２６と操作ハンドル２０２および回動部材２０５から構成されており，操作ハンドル２０２の操作により前記可動接点２１２，２１３が固定接点２１４，２１５に対して開閉するよう作用する。
【００２９】
回動部材２０５にはそれぞれ可動接触子２０６，２０７が装着保持されている。
【００３０】
過電流引き外し装置２２３ａは導体により一端が可動接触子２０７と接続され，電路の一部を形成している。過電流引き外し装置２２３ａは引き外し素子であるバイメタル２３０１や電磁素子２３０２で構成されている。過電流が発生した場合には開閉機構部２０８に作用して前記可動接点２１２，２１３を固定接点２１４，２１５から開極させるように働く。過電流引き外し装置２２３ｂは導体により一端が固定接触子２０９と接続され，電路の一部を形成している。過電流引き外し装置２２３ｂも引き外し素子であるバイメタル２３０４や電磁素子２３０５で構成されている。
【００３１】
本体部は，これら操作ハンドル２０２と，開閉機構部２０８と，接点装置２００，２０１と，一方の引き外し装置２２３ａ，ならびにＣＴ２３２，引き外しコイル２３１，漏電検知器を収納している。
【００３２】
電源側端子２２５ａ，２２５ｂは母線２３０と接続されるものであり，プラグイン端子が用いられている。電源側端子部には，これら電源側端子２２５ａ，２２５ｂと過電流引き外し装置２２３ｂが配設されている。過電流引き外し装置２２３ｂは導体により一端が固定接触子２０９と接続されており，電路の一部を形成している。引き外し装置２２３ｂは引き外し素子であるバイメタル２３０４や電磁素子３０５で構成されており，先の引き外し装置２２３ａと同様に，異常電流が発生した場合には開閉機構部２０８に作用して前記可動接点２１２，２１３を固定接点２１４，２１５から開極させるように働く。
【００３３】
負荷側端子２２４ａ，２２４ｂは負荷側の電線を接続する端子であり，速結端子を用いて構成されている。負荷側端子部は負荷側端子２２４ａ，２２４ｂにより構成されている。ＣＴ２３２には各極の負荷側端子２２４と固定接触子２１０，もしくは可動接触子２０６とを接続する接続導体を貫通させる貫通穴が設けられ，導体を流れる電流量に応じて電圧を出力する。
漏電検知器は該ＣＴ２３２からの出力を増幅する増幅部を有しており，演算処理を行い，引き外しコイル２３１に信号を出力する。
引き外しコイル２３１は，接点装置を開極するための引き外し装置であり，前記漏電検知器からの出力を受け開閉機構部２０８に作用する
【００３４】
このように該２極回路遮断器を電源側端子部と負荷側端子部を結ぶ方向において，電源側端子収納部，本体収納部，負荷側端子収納部と，大きく３つに分けた場合に，電源側端子収納部に電源側端子２１５ａ，２２５ｂおよび，過電流引き外し装置２２３ｂの両方を配設して漏電回路遮断器を構成している。トリップコイル２３１，ＣＴ２３２，漏電検知器２３３からなる漏電引き外し装置は回路遮断器内部に設けられた追加機能や補助機能を配設するスペースに配設されているので，配線用遮断器と同一外形サイズで同部品を用いて漏電遮断器を構成できる。また配線用遮断器に用いた部品と共通化を行うことが可能としている。
【００３５】
２極以上の多極回路遮断器についても，端子収納部位に１ヶ以上の過電流引き外し装置を端子と側壁の間に設け，薄型化を図った回路遮断器を構成することが可能である。
【００３６】
【発明の効果】
以上のように本発明によれば，薄型化を目的とした多極回路遮断器において，回路遮断器としての機能を損なわずに，外形サイズを変更せず内部に機能追加が可能なスペースを確保することができる多極配線用遮断器及び多極漏電遮断器を提供することができ，また配線用遮断器と漏電遮断器において同一の外形サイズで構成可能な多極回路遮断器を提供することができる。
【図面の簡単な説明】
【図１】  本件発明による第一の実施例の図
【図２】  ケースの状態図
【図３】  電源側端子部の構造図
【図４】  本件発明による第一の実施例の図
【符号の説明】
１ａ，１ｂ   ケース
２   操作ハンドル
３   絶縁壁
５   回動部材
６   可動接触子
７   可動接触子
８    開閉機構部
９    固定接触子
１０  固定接触子
１２  可動接点
１３  可動接点
１４  固定接点
１５  固定接点
２３ａ  過電流引き外し装置
２３ｂ  過電流引き外し装置
２４ａ  負荷側端子
２４ｂ  負荷側端子部
２５ａ  電源側端子
２５ｂ  電源側端子
２６    リンク
２７    過電流引き外し素子
２８    固定電磁片
２９    可動電磁片
３０    母線
１００，１０１  接点装置
２０１ａ，２０１ｂ   ケース
２０２   操作ハンドル
２０３   絶縁壁
２０５   回動部材
２０６   可動接触子
２０７   可動接触子
２０８    開閉機構部
２０９    固定接触子
２１０  固定接触子
２１２  可動接点
２１３  可動接点
２１４  固定接点
２１５  固定接点
２２３ａ  過電流引き外し装置
２２３ｂ  過電流引き外し装置
２２４ａ  負荷側端子
２２４ｂ  負荷側端子部
２２５ａ  電源側端子
２２５ｂ  電源側端子
２２７    過電流引き外し素子
２２８    固定電磁片
２２９    可動電磁片
２３０    母線
２００，２０１  接点装置
２３１    引き外しコイル
２３２    零相変流器
３００  導体
３０１  バイメタル
３０２  電磁素子
３０３  導体
３０４  バイメタル
３０５  電磁素子
２３０１  バイメタル
２３０２  電磁素子
２３０４  バイメタル
２３０５  電磁素子
【図１】
0004149183.tif 000002
【図２】
0004149183.tif 000003
【図３】
0004149183.tif 000004
【図４】
0004149183.tif 000005